(57)【要約】【課題】  密集した空間の状況でも利用を見出し得るような、平たく組み立てられるシャワーヘッド装置を提供する。【解決手段】  本発明は、垂直に配置されるべき長い平たいプロファイル要素を含むシャワー装置に関し、このプロファイル要素の面の後方側が壁面に適用されるように具体化されている。隠蔽される取付具が後方側の領域に配置されていて、この取付具は壁面の凹所にある隠蔽ボックスの内側に係合している。複数の操作要素とシャワーアタッチメントは別にして、プロファイル要素の前方側に突き出した部分はなく、装置それ自身が平たい構造を有することを可能にしている。衛生取付具に要求される空間が壁面の後ろに設けられている。【選択図】  図１
2007523707.tif 000002
【特許請求の範囲】
【請求項１】
シャワーヘッド装置であって、
１．１  平たいプロファイル（１）を有し、
１．２  これに壁面への支持のための後方側（２）が形成されており、
１．３  隠蔽される取付具が設けられており、
１．４  これがプロファイル（１）の後方側（２）に設置されていて、
１．５  これがプロファイル（１）により隠されていて、
１．６  これがプロファイルの前方側から作動可能であり、
１．７  少なくとも１つのシャワーヘッド（８）が設けられている、
シャワーヘッド装置。
【請求項２】
複数の取付具がプロファイル（１）に固定され得ることを特徴とする請求項１に記載のシャワーヘッド装置。
【請求項３】
複数の取付具（２０、２１、２２、２３）を収納する隠蔽ボックス（７）が設けられていることを特徴とする請求項１又は２に記載のシャワーヘッド装置。
【請求項４】
隠蔽ボックス（７）がプロファイル（１）に固定され得ることを特徴とする請求項３に記載のシャワーヘッド装置。
【請求項５】
隠蔽ボックス（７）及び／又は複数の隠蔽される取付具（２０、２１、２２、２３）の側方延長部が、プロファイル（１）の幅よりも狭いことを特徴とする請求項１〜４のいずれか１項に記載のシャワーヘッド装置。
【請求項６】
複数の取付具（２２、２３）が、プロファイル（１）内へ部分的に延在していることを特徴とする請求項１〜５のいずれか１項に記載のシャワーヘッド装置。
【請求項７】
ホース（１２）を用いて接続されるシャワーハンドセットとこれのための保持ブラケットを有することを特徴とする請求項１〜６のいずれか１項に記載のシャワーヘッド装置。
【請求項８】
シャワーハンドセットへの水供給が、プロファイルの内側に形成されたチャネルを通って及び／又はホースを通って、プロファイル（１）の内部を通っていることを特徴とする請求項７に記載のシャワーヘッド装置。
【請求項９】
少なくとも側方シャワーヘッド（８）を有することを特徴とする請求項１〜８のいずれか１項に記載のシャワーヘッド装置。
【請求項１０】
幾つかの取付具を有し、これらが隠蔽された又はもし必要なら別個に操作可能な複数の側方シャワーヘッド（８）であることを特徴とする請求項１〜９のいずれか１項に記載のシャワーヘッド装置。
【請求項１１】
プロファイルの配管と複数の取付具との水接続のために、複数のクランプ連結接続部を有することを特徴とする請求項１〜１０のいずれか１項に記載のシャワーヘッド装置。
【請求項１２】
プロファイルに接続された取付具が、複数のクランプ連結接続部を家の設備に接続可能であることを特徴とする請求項１〜１１のいずれか１項に記載のシャワーヘッド装置。
【発明の詳細な説明】
【技術分野】
【０００１】
本発明は、シャワーヘッド装置に関する。長く伸びたプロファイルが壁面に固定される。プロファイルは、複数の水供給に適合し、複数の取付具の部分に適合するのに役立つ。
【背景技術】
【０００２】
このタイプの公知の装置（ＥＰ  ４２２  ９７２）においては、プロファイルはその前方側にある突起を特徴としており、衛生取付具がプロファイル内に収容され得るようになっている。配管の残りがプロファイル内に収容されている。プロファイルはそれゆえ表面載置のためのものである。
【０００３】
チャネルを壁に隠すために、プレートを使用することも同様に良く知られている。チャネル内、すなわち隠蔽された設備内に、衛生取付具の複数の部品が収容される。
【特許文献１】ＥＰ  ４２２  ９７２
【発明の開示】
【発明が解決しようとする課題】
【０００４】
本発明は、密集した空間の状況でもシャワーヘッド装置が利用を見出し得るような、平たく組み立てられるシャワーヘッド装置を提供する課題に基づいている。更に、シャワーヘッド装置の突出部分でけがをする危険が減少されるべきである。更に、シャワーヘッド装置の異なる長さ及び寸法のために容易に短くされ得るプロファイルが、このような装置の製造のために使用可能であるべきである。
【課題を解決するための手段】
【０００５】
この課題を解決するため、本発明は、請求項１に記載された特徴を有するシャワーヘッド装置を提供する。本発明の複数の態様は、従属する複数の請求項の主題となっている。
【発明を実施するための形態】
【０００６】
本発明は、こうして全長に渡って均一な横断面を本質的に特徴とすることが可能な平たい（又は薄板状の）プロファイルと、壁のチャネル内又は背面に穴があけられた壁の開口内に収容可能であって前に向いたプロファイルにより十分に隠された隠蔽される取付具との組み合わせを使用している。これは、明らかにシャワーヘッドそれ自身を除いて、突出部分無くシャワーヘッド装置の優雅な外観を生み出す。
【０００７】
とくに、本発明の態様において、複数の取付具がプロファイルに固定され得ることが提供される。家の設備の配管の助けにより、複数の取付具が追加的に固定されて確保され得ることも明らかに可能である。
【０００８】
本発明の態様において、シャワーヘッド装置は、複数の取付具と複数の外向きの接続部分を保護して隠す隠蔽ボックスを特徴とすることが提供可能であり、凝縮水等が壁内に侵入するのを防止するのに役立つことが追加的に可能である。
【０００９】
隠蔽ボックスは、通常は壁に、例えばそれが設置されるチャネルに対して横方向に、直接固定される。隠蔽ボックスがチャネル内のそのベースに固定されることも可能である。本発明によれば、隠蔽ボックスはプロファイルに追加的に又は唯一固定されて良く、又は別に表現すると、プロファイルは隠蔽ボックスに固定されて良いことが提供され得る。
【００１０】
明らかに、複数の取付具が隠蔽ボックスとプロファイルの両方に固定されることも可能である。
【００１１】
本発明による発展において、隠蔽ボックス及び／又は隠蔽される取付具の横方向延長部がプロファイルの幅よりも狭い。これは、プロファイルが複数の取付具又は取付具ボディを隠してそれが見えないようになることを確実にするべきである。
【００１２】
プロファイルは、一定の厚さ又は高さを特徴とするため、すなわち配管及び同様なものを収容することを目的とするため、本発明によれば、隠蔽される取付具がプロファイルの幾分内部まで延在することが提供され得る。これはしっくいの厚さ変化を補償し得る。
【００１３】
本発明によれば、シャワーヘッド装置は、シャワーハンドセットとこのシャワーハンドセットのためのホルダを特徴とすることが可能であり、そこでシャワーハンドセットはホースを用いて接続される。このホースのための水供給は、プロファイル内に形成されたチャネルを通って及び／又はプロファイル内をルートとするホースを通ってそこに提供され得る。
【００１４】
プロファイルと複数の取付具の間の複数の水接続部が、複数のクランプ連結接続部として形成され、これはプロファイルを複数の取付具に組み合わせたときに連動する。
【００１５】
代替として、本発明は複数の取付具をプロファイルに堅固に接続することを提供し、壁内の水供給配管とのクランプ連結接続部を提供する。
【００１６】
この接続部は、しっくいの厚さを補償し得ると同時に壁仕上げ材としても形成され得る。これはとくに単純な設備につながる。供給の際にも、これは修理人のための大きな利点を有する。
【００１７】
プロファイルが隠蔽ボックス又は複数の取付具に固定される場合において、ネジ接続の代わりに、迅速な連結として例えばバヨネット取付具又は同様な接続部が設けられ得る。
【００１８】
いずれの場合も、起こり得る角度のずれが複数の壁部分に固定された複数の部分とプロファイルの間に提供され得る。
【００１９】
プロファイル又はシャワーヘッド装置は、少なくとも、しかし好ましくは、幾つかの側方シャワーヘッドを特徴とすることが出来る。これらの側方シャワーヘッドは、プロファイルの面上に僅かだけ突出し、要求される空間がいまだ小さいままになっている。本発明によれば、幾つかの側方シャワーヘッドには、複数の取付具により制御された水が個別に供給されることが提供され得る。
【００２０】
本発明の更なる構成、詳細及び優位性は、本発明の好ましい態様の説明、特許請求の範囲、及び要約からも明らかにされており、これら両方の表現は、明細書の内容及び図面に基づいている。
【実施例】
【００２１】
図１は、本発明によるシャワーヘッド装置の側面を示す。シャワーヘッド装置は、平たんな後方側２を備えた平たい（又は薄板状の）プロファイル１を含む。後方側２とは別方向を向いた前方側３は、横断面でわずかに凸形状をもたせることができる。プロファイル１は、その後方側２が壁面に存在するように載置されるためのものである。それは一般的な手段で固定され得る。長く伸びたプロファイル１は、通常は垂直に並べて載置される。プロファイル１の前方側３の最上部領域において、シャワーハンドセットを取り付けるための保持ブラケット４が提供される。保持ブラケット４は、長手方向に、すなわち最上部から最下部に、及び逆の場合も同じに、調節され得る。
【００２２】
プロファイル１の長手方向の長さのほぼ中央領域、すなわち高さの約半分において、衛生取付具のための調節及び操作器５、６が取り付けられ、プロファイルの後方側２（の部分）に配置されている。衛生取付具は、後者を保護可能に収納する隠蔽ボックス７により囲まれている。
【００２３】
プロファイル１の前方側３上の底部及び中央部において、複数の個別の側方シャワーヘッド８が配置されていて、これらは操作器５、６の助けにより作動され得る。
【００２４】
図２は、シャワーヘッド装置を前から示す。プロファイル１の幅は、隠蔽ボックス７とその中の衛生取付具が載置されない状態でもそれが見られないように、選択される。操作器５、６が設けられている部分は、追加の円形窓９を特徴とすることができる。プロファイル１の下端１０に、シャワーヘッドホース１２のための接続部１１が設置されていて、これは操作器５、６を介して作動され得る。ホース１２の端部に、シャワーハンドセットが接続され、これは保持ブラケット４に通常の方式で吊り下げられ得る。
【００２５】
プロファイル１の前方側は、その上方部分の２つの長手方向エッジ間のほぼ中央に、切り取られたスロット１３を有し、そこにシャワーヘッドのための保持ブラケット４が移動可能な方式で収容されている。
【００２６】
複数の側方シャワーヘッド８は、横方向にずれていて中心線に沿って対称に位置付けられている。
【００２７】
隠蔽ボックスが複数の取付具を含んだ状態で壁のチャネルに収容されるように、シャワーヘッド装置が載置されていて、プロファイル１の後方側２が壁面に存在するようになっている。装置はこの位置に固定される。装置は、それが非常に平たいという利点を有する。プロファイル１の厚さは、それがプロファイル配管及び複数の保持ブラケットに適合するように、決定される。
【００２８】
図３は、誇張された横断面でプロファイル１の形状を示す。プロファイルは、図１も参照すると、平たんな後方側２を特徴としている。図示された例における前方側３もまた平たんである。それは、デザイン上の観点から、僅かに凹形又は凸形に曲げることも可能である。２つの長手方向のエッジの間のほぼ中央において、チャネル１４が前壁３の後方側に形成されており、これは先に述べられたスロット１３を通って前方側からアクセス可能である。このスロット１３は、チャネル１４よりも狭い幅を特徴としており、スロット１３の複数のエッジが内部の切れ目を有するようになっている。この位置において、シャワーハンドセットのための保持ブラケット４は、クランプを目的とすることが可能である。チャネル１４は、プロファイルの全長に渡って連続して形成されている。スロット１３はプロファイル部分の完成に後続してミル加工され得る。図２から導き出されるように、スロット１３はプロファイルの上方部分で唯一利用可能である。チャネル１４は、もっとも、全長に渡って延びている。
【００２９】
前方側３と後方側２は、２つのウェブ１５を用いて一緒に連結されている。これらのウェブ１５は、配管を収容する目的で、僅かに凸形に延びている。これらのウェブ１５は、同様にプロファイルの全長に渡って延びている。これらは、プロファイルの内部を３つの室に分割している。
【００３０】
前壁３の後方側に、更なる複数のチャネル１６が２つの外部室の内側に形成されていて、これらはスロットが設けられた平行壁１７により境界付けられている。これらの平たいチャネル１６は、複数の側方シャワーヘッドを収容するのに役立ち、次の段落で説明される。
【００３１】
図４は、図１と同じ方向から誇張されたスケールを示し、隠蔽ボックス７とプロファイル１の間の接続箇所を示している。隠蔽ボックス７に、接続ブロック２０、取付具ボディ２１、及び２つの対応する取付具要素２２、２３が収容されている。一方の取付具要素２２は、例えば流量制御装置とすることができ、他方の取付具要素は異なるシャワーヘッドの間の切り替えユニットとすることができる。これらの取付具要素２２、２３は、プロファイル１の内奥に突き出ている。
【００３２】
隠蔽ボックス７の部分において、プロファイル１の後壁２が切り取られていて、ここで複数の取付具の部分が空間を有することができるようになっている。前壁３もまた切り取られていて、円形窓がここに取り付けられ得るようになっている。円形窓は、通常複数の取付具の部分に取り付けられて、プロファイルがこの目的のためにとくに形成されなければならないようになっている。
【００３３】
隠蔽ボックス７は、ベース２４と側壁２５を特徴としていて、そこにフランジ２６が外向きに並べられている。フランジ２６は、隠蔽ボックス７を壁に固定するのに役立つ。
【００３４】
図５は、図４の方向に対する横断面を示す。プロファイルの後壁２が切断されていることも見ることができる。後壁２の側方部分２７において、プロファイル１が隠蔽ボックス７に固定されている。このためにネジ２８が用いられ、これは後壁２の穴を通って挿入されていて、隠蔽ボックス７の開口２９内に捩じ込まれている。この開口２９は、比較的長い穴であり、ネジ山を特徴とすることができる。もっとも、ネジ２８がそれ自身のネジ山を切ることも可能である。この方式で、プロファイルは隠蔽ボックス７に定められることが可能であり、これはそれ自身壁に取り付けられる。加えて、それは取付具ボディ２１とプロファイル１の間に固定され得る。
【００３５】
図６は、プロファイル１上にある側方シャワーヘッド８のアタッチメントを示す。側方シャワーヘッド８が取り付けられるべき所で、穴がプロファイルの前方側３に空けられていて、こうして平行壁１７のスロット３０に対して整列されている。後方側から、カウンタ部品３１がスロット３０内に挿入され、図７を参照すると、これは前に向いた開口を特徴としている。この開口において、側方シャワーヘッド８のボディ３２が挿入され動かないようにされる。ボディ３２には、スプレーボディ３３が取り付けられていて、これは複数のスプレー出口開口をその前方側に特徴付けている。ボディ３２のほぼ球形状に基づいて、スプレーボディ３３は僅かにスイベル旋回され得る。側方シャワーヘッド８のカウンタ部品３１は、２つの側方延長部３４、３５を特徴としており、これらは側方シャワーヘッド３８のボディ３２の貫通穴３６と接続状態にある。一方の側方延長部３５は、ホースを取り付けるのに役立つ。他方の側方延長部３４は、ホースを更に導くのにも使用され得るし、プラグで閉鎖されるのにも使用され得る。この方式で、図２に示すように、ホースを用いて、幾つかの側方シャワーヘッド８を順次接続することが可能である。更に、例えば１列の全ての側方シャワーヘッド８が、衛生取付具により同時に作動され得る。また、使用されている切り替えスイッチのタイプに基づいて、全ての側方シャワーヘッドが個別に又は複数のグループで作動されることも可能である。
【００３６】
図８で著しく単純化された態様で、家の設備に接続される主要な取付具要素２０が、複数の開放接続部を特徴としていて、これらは複数の取付具２１の対応する複数の部分内に挿入され又は突き通され得る。単純化の理由ゆえに、シール、締結器具、又は類似のものの図示が省略されている。このタイプの形状で、明らかに隠蔽ボックス内でも、主要な取付具要素２０と家の設備との接続が行われ得る。結局、プロファイルとプロファイルに固定された複数の取付具からなるユニットが、壁とそのチャネルの近くに引き寄せられていて、このユニットは載置された要素２０内に挿入され突き出される。これにより、設備は単純化され容易になる。更に、これは複数の取付具を交換しなければならない場合に明らかに有利である。
【図面の簡単な説明】
【００３７】
【図１】本発明によるシャワーヘッド装置の概略側面図
【図２】図１の装置の正面図
【図３】プロファイルの横断面を拡大されたスケールで示す
【図４】複数の取付具とプロファイルの間の複数の接続部分の概略拡大図
【図５】隠蔽ボックスをプロファイルに固定する実現性の概略拡大図
【図６】側方シャワーヘッドの取り付けの横断面図
【図７】外向きプロファイルからの側方シャワーヘッドの図
【図８】複数の取付具と設備の間のクランプ連結接続部の単純化された図
【図１】
2007523707.tif 000003
【図２】
2007523707.tif 000004
【図３】
2007523707.tif 000005
【図４】
2007523707.tif 000006
【図５】
2007523707.tif 000007
【図６】
2007523707.tif 000008
【図７】
2007523707.tif 000009
【図８】
2007523707.tif 000010
【国際調査報告】
2007523707.tif 000011
2007523707.tif 000012
2007523707.tif 000013
2007523707.tif 000014
2007523707.tif 000015
2007523707.tif 000016